(57)【要約】【課題】画像撮影後、撮影した画像の範囲外へも構図変更可能であり、最初に撮影した画像の解像度を損なうこともないデジタルカメラを提供することを目的とする。【解決手段】デジタルカメラ１００は、撮像部１０２に入射する被写体像の画角を変更可能なズーム光学系１０６を備えた撮像光学系１０４と、ズーム光学系を第１の画角に設定した状態で撮像した第１の画像信号、および、ズーム光学系を第１の画角より広角な第２の画角に設定した状態で撮像した第２の画像信号を出力させる撮像制御部１０８と、トリミング範囲１２６または１２８の入力を受け付ける受付部１２４と、トリミング範囲に基づいて、第１の画像信号のうちトリミング範囲に含まれる部分と第２の画像信号のうちトリミング範囲に含まれる部分とを合成した合成画像信号を生成する画像合成部１３０と、を備えることを特徴とする。【選択図】図１
2010119011.tif 000002
【特許請求の範囲】
【請求項１】
被写体像を撮像し、画像信号を出力する撮像部と、
前記撮像部に入射する前記被写体像の画角を変更可能なズーム光学系を備えた撮像光学系と、
前記撮像部を制御し、前記ズーム光学系を第１の画角に設定した状態で撮像した第１の画像信号、および、前記ズーム光学系を前記第１の画角より広角な第２の画角に設定した状態で撮像した第２の画像信号を出力させる撮像制御部と、
前記第１の画像信号および前記第２の画像信号を処理し、前記第１の画像信号で示される前記第１の画角と前記第２の画像信号で示される前記第２の画角とが連続するように、前記第２の画像信号の中に前記第１の画像信号を入れ子状に重畳した重畳画像を生成する重畳画像生成部と、
前記重畳画像生成部により生成された前記重畳画像を表示する表示部と、
前記表示部に表示された前記重畳画像に基づいて、トリミング範囲の入力を受け付ける受付部と、
前記トリミング範囲に基づいて、前記第１の画像信号のうち前記トリミング範囲に含まれる部分と前記第２の画像信号のうち前記トリミング範囲に含まれる部分とを合成した合成画像信号を生成する画像合成部と、
を備えることを特徴とするデジタルカメラ。
【請求項２】
請求項１に記載のデジタルカメラにおいて、
前記第２の画角は、前記ズーム光学系の広角端であることを特徴とするデジタルカメラ。
【請求項３】
請求項１または２に記載のデジタルカメラにおいて、
前記撮像制御部は、前記第１の画角が所定画角より望遠側である場合に、前記第２の画角による撮像を行うことを特徴とするデジタルカメラ。
【請求項４】
請求項１から３のいずれか１項に記載のデジタルカメラにおいて、さらに、
前記撮像部から出力された画像信号を圧縮する画像圧縮部と、
前記第２の画像信号を圧縮する際の圧縮率が、前記第１の画像信号を圧縮する際の圧縮率より高くなるよう前記画像圧縮部を制御する圧縮制御部と、
を備えることを特徴とするデジタルカメラ。
【請求項５】
請求項４に記載のデジタルカメラにおいて、
前記圧縮制御部は、前記第２の画像信号の圧縮率を、該第２の画像信号の絵柄の複雑度を示す特徴量に応じて決定することを特徴とするデジタルカメラ。
【請求項６】
請求項１から５のいずれか１項に記載のデジタルカメラにおいて、さらに、
前記第１の画像信号および前記第２の画像信号を、第１の画像ファイルおよび第２の画像ファイルとしてそれぞれ記録媒体に記録する記録制御部を備え、
前記記録制御部は、前記第１の画像ファイルおよび第２の画像ファイルのうち少なくとも一方の画像ファイルのヘッダ領域に、他方の画像ファイルの識別子を付加して記録することを特徴とするデジタルカメラ。
【請求項７】
請求項１に記載のデジタルカメラにおいて、
前記撮像制御部は、前記第１の画角による前記第１の画像信号の撮像が行われると、前記ズーム光学系を制御して前記第２の画角に設定し、前記第２の画像信号の撮像を行うことを特徴とするデジタルカメラ。
【請求項８】
請求項１に記載のデジタルカメラにおいて、
前記撮像制御部は、前記第１の画角による第１の画像信号の撮像が行われると、前記ズーム光学系を前記第２の画角に設定した上で撮像を行うようユーザに促すメッセージを出力することを特徴とするデジタルカメラ。
【発明の詳細な説明】
【技術分野】
【０００１】
本発明は、撮影時の画角を調節可能なデジタルカメラに関するものである。
【背景技術】
【０００２】
従来、デジタルカメラで撮像した画像の構図を変更する場合には、画像サイズを変更するクロッピング（cropping）、あるいは画像全体にアップコンバート（拡大）を施す方法が一般的であった。また、ズーム機能を用いて複数枚の画像を撮像し、いずれかの画像を選択する方法もある（例えば特許文献１）。
【特許文献１】特開２００５−３０１２６９号公報
【発明の開示】
【発明が解決しようとする課題】
【０００３】
しかし、特許文献１に記載のような技術では、当然ながら、ユーザが撮影した画像の範囲内でしか、構図変更ができない。すなわち、構図を変更する場合には、不必要な場所を削除するクロッピング処理を施すことしかできず、撮影時の画角でカバーできなかった被写界の情報を付加することは不可能である。また、アップコンバートを施すと、撮影時の被写体解像度が劣化してしまう問題もある。
【０００４】
本発明は、このような課題に鑑み、ユーザが画像を撮影した後、撮影した画像の範囲外へも構図を変更可能であり、しかも、ユーザが最初に撮影した画像の解像度を損なうこともない、デジタルカメラを提供することを目的としている。
【課題を解決するための手段】
【０００５】
上記課題を解決するために、本発明にかかるデジタルカメラの代表的な構成は、被写体像を撮像し、画像信号を出力する撮像部と、撮像部に入射する被写体像の画角を変更可能なズーム光学系を備えた撮像光学系と、撮像部を制御し、ズーム光学系を第１の画角に設定した状態で撮像した第１の画像信号、および、ズーム光学系を第１の画角より広角な第２の画角に設定した状態で撮像した第２の画像信号を出力させる撮像制御部と、第１の画像信号および第２の画像信号を処理し、第１の画像信号で示される第１の画角と第２の画像信号で示される第２の画角とが連続するように、第２の画像信号の中に第１の画像信号を入れ子状に重畳した重畳画像を生成する重畳画像生成部と、重畳画像生成部により生成された重畳画像を表示する表示部と、表示部に表示された重畳画像に基づいて、トリミング範囲の入力を受け付ける受付部と、トリミング範囲に基づいて、第１の画像信号のうちトリミング範囲に含まれる部分と第２の画像信号のうちトリミング範囲に含まれる部分とを合成した合成画像信号を生成する画像合成部と、を備えることを特徴とする。
【０００６】
上記の構成によれば、ユーザは、自身が設定した画角によって第１の画像を撮影した後、第１の画像の範囲外までへもトリミング範囲（構図）を変更することが可能であり、かかるトリミング範囲によって決定される合成画像を生成することが可能である。これは、第１の画像とともに、より広角の第２の画像が自動的に撮影され、第１および第２の画像が、最終的に決定されるトリミング範囲に応じて合成されるからである。
【０００７】
しかも、第１および第２の画像を合成するとき、第１の画像信号のうちトリミング範囲に含まれる部分は、サイズを適合させるためにダウンコンバート（縮小）されるだけであり、解像度が劣化しない。つまり、ユーザが最初設定した構図に含まれ、ユーザが最も注目していると考えられる被写体の解像度は劣化しない。
【０００８】
上記の第２の画角は、ズーム光学系の広角端としてよい。トリミング範囲の変更を、なるべく広範囲にわたって可能とするためである。
【０００９】
上記の撮像制御部は、第１の画角が所定画角より望遠側である場合に、第２の画角による撮像を行うとよい。ユーザが設定する第１の画角が、最初から望遠側に偏っているほど、トリミング範囲が第１の画像の範囲外に広がるからである。
【００１０】
上記のデジタルカメラは、さらに、撮像部から出力された画像信号を圧縮する画像圧縮部と、第２の画像信号を圧縮する際の圧縮率が、第１の画像信号を圧縮する際の圧縮率より高くなるよう画像圧縮部を制御する圧縮制御部と、を備えるとよい。
【００１１】
背景に相当する第２の画像は、第１の画像より粗くなってもよい、すなわち圧縮率を高くしてよいと考えられるためである。また、第２の画像の圧縮率を上げることで、記録容量も節約できることとなる。
【００１２】
上記の圧縮制御部は、第２の画像信号の圧縮率を、第２の画像信号の絵柄の複雑度を示す特徴量に応じて決定するとよい。複雑度が高いほど圧縮率を上げることにより、データ量をなるべく均一にすることができるからである。
【００１３】
上記のデジタルカメラは、さらに、第１の画像信号および第２の画像信号を、第１の画像ファイルおよび第２の画像ファイルとしてそれぞれ記録媒体に記録する記録制御部を備え、記録制御部は、第１の画像ファイルおよび第２の画像ファイルのうち少なくとも一方の画像ファイルのヘッダ領域に、他方の画像ファイルの識別子を付加して記録するとよい。
【００１４】
第１および第２の画像をこのように対応させて記録しておけば、トリミング範囲は１つに限らず、何通りにも変更することが可能であり、変更したトリミング範囲に対応した様々な合成画像を生成可能だからである。
【００１５】
上記の撮像制御部は、第１の画角による第１の画像信号の撮像が行われると、ズーム光学系を制御して第２の画角に設定し、第２の画像信号の撮像を行ってよい。
【００１６】
上記の構成によれば、ユーザは第１の画像を撮影するためのシャッタを１回切ればよく、第２の画像は自動的に撮影される。
【００１７】
上記の撮像制御部は、第１の画角による第１の画像信号の撮像が行われると、ズーム光学系を第２の画角に設定した上で撮像を行うようユーザに促すメッセージを出力してもよい。
【００１８】
上記の構成によれば、ユーザは、第１の画像を撮影した後、広角の第２の画像の画角を任意に決定できる。すなわち、将来、トリミング範囲を変更する際に、トリミング範囲の変更が可能な領域を、ユーザ自身の判断で任意に決定できる。これは、例えば、第１の画像で撮影した被写体以外にも、注目すべき他の被写体があった場合等に役立つ。ユーザは、他の被写体を構図に含めて第２の画像を撮影しておき、将来、トリミング範囲に、他の被写体を入れることができるようにしておくことができる。
【発明の効果】
【００１９】
本発明によれば、ユーザが第１の画像を撮影した後、撮影された第１の画像の範囲外まで構図を変更した合成画像を得ることが可能であり、しかも、合成画像のうち、ユーザが最初に撮影した第１の画像の解像度は損なわれない。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００２１】
（デジタルカメラ）
図１は、本発明の実施形態であるデジタルカメラのブロック図である。デジタルカメラ１００は、被写体像を撮像し、画像信号を出力する撮像部１０２と、撮像部１０２に入射する被写体像の画角を変更可能なズーム光学系１０６を備えた撮像光学系１０４とを備える。
【００２２】
撮像部１０２はＣＣＤ（Charge Coupled Device; 電荷結合素子）としてよく、被写体を撮像して電子的な画像信号を生成する撮像手段であり、例えば１６００×１２００個の画素を有する。撮像部１０２は、撮像光学系１０４のレンズによって結像された被写体の光像を、画素毎にＲ（赤）、Ｇ（緑）、Ｂ（青）の色成分の画像信号（各画素で受光された画素信号の信号列からなる信号）に光電変換して出力する。
【００２３】
撮像光学系１０４は、そのレンズ（図示省略）を移動させることによって、被写体像の画角を変更可能なズーム光学系１０６を備えている。画角は、例えば対角線画角４５〜１００度の範囲で変更可能としてよい。
【００２４】
（撮像制御部）
図２は図１のデジタルカメラ１００によって撮像される第１および第２の画像を例示する図である。デジタルカメラ１００は、撮像部１０２を制御し、ズーム光学系１０６を第１の画角に設定した状態で撮像した第１の画像信号（例えば図２（ａ））、および、ズーム光学系１０６を第１の画角より広角な第２の画角に設定した状態で撮像した第２の画像信号（例えば図２（ｂ））を出力させる撮像制御部１０８を備える。
【００２５】
ユーザは、図２（ａ）のように、自身が設定した第１の画角で、被写体を第１の画像として撮像する。通常撮影はこの１枚のみの取得となるところ、撮像制御部１０８は、ズーム光学系１０６を第１の画角より広角な第２の画角に設定するズームブラケティングを行い、自動的に第２の画像（図２（ｂ））を連続撮影する。
【００２６】
かかる構成によれば、ユーザは第１の画像（図２（ａ））を撮影するためのシャッタを１回切ればよく、第２の画像（図２（ｂ））は自動的に撮影される。図２（ａ）（ｂ）に示すように、ズームブラケティングによる画角の変更は、第１の画像が第２の画像の中央部分に相当するように行ってよい。
【００２７】
第２の画角は、ズーム光学系１０６の広角端とするのが望ましい。画角、例えば対角線画角が、４５〜１００度の範囲で変更可能であれば、第２の画角（対角線画角）は１００度とするとよい。後述するトリミング範囲の変更を、なるべく広範囲にわたって可能とするためである。
【００２８】
撮像制御部１０８は、第１の画角が所定画角より望遠側である場合に、第２の画角による撮像を行うとよい。ユーザが設定する第１の画角が、最初から望遠側に偏っているほど、トリミング範囲が第１の画像の範囲外に広がるからである。
したがって、対角線画角が４５〜１００度の範囲の場合、所定画角を、ちょうど中央値の７２．５度に設定し、第１の画角が７２．５度より小さい望遠側であれば、第２の広角画像を生成する意味があると判定し、第２の画像を撮影すればよい。
【００２９】
撮像制御部１０８は、ズームブラケティングに代えて、第１の画角による第１の画像信号（図２（ａ））の撮像が行われると、ズーム光学系１０６を第２の画角に設定した上で撮像を行うようユーザに促すメッセージを出力してもよい。メッセージは表示部としてのＬＣＤ（Liquid Crystal Display）１１２に表示すればよい。
【００３０】
かかる構成によれば、ユーザはシャッタを２回切る必要があるが、ユーザは、第１の画像（図２（ａ））を撮影した後、広角の第２の画像の画角を任意に決定できる。すなわちユーザは第２の画角を広角端にしてもよいし、自由に設定してもよい。また、第１の画像が第２の画像の中央部分に相当する図２（ｂ）のような位置関係で第２の画像を撮影する必要もなく、第１の画像を含んでいる限り、自由な構図で第２の画像を撮影してよい。
【００３１】
これにより、将来、後述のトリミング範囲を変更する際に、トリミング範囲の変更が可能な領域を、ユーザ自身の判断で任意に決定できる。これは、例えば、第１の画像で撮影した被写体以外にも、注目すべき他の被写体があった場合等に役立つ。ユーザは、他の被写体を構図に含めて第２の画像を撮影しておき、将来、トリミング範囲に、他の被写体を入れることができるようにしておくことができる。
【００３２】
（重畳画像生成部）
デジタルカメラ１００は、第１の画像信号（図２（ａ））および第２の画像信号（図２（ｂ））を処理し、第１の画像信号で示される第１の画角と第２の画像信号で示される第２の画角とが連続するように、第２の画像信号の中に第１の画像信号を入れ子状に重畳した重畳画像を生成する重畳画像生成部１１０と、重畳画像生成部１１０により生成された重畳画像を表示する表示部としてのＬＣＤ１１２とを備える。
【００３３】
図３は図１の重畳画像生成部１１０が重畳画像を生成する様子を示す図である。重畳画像生成部１１０は、図３（ｂ）に示すように、広角側の第２の画像における第１の画像の位置情報を抽出し、第２の画像から、第１の画像に相当する領域を削除する。そして、後述の、将来、構図を変更するときに、第１の画角と第２の画角とが連続するように、第２の画像信号（図３（ｂ））の中に第１の画像信号（図３（ａ））を入れ子状に重畳してＬＣＤ１１２に表示する。ＬＣＤ１１２に表示される画像は、ちょうど、図２（ｂ）と同様の画像になる。
【００３４】
なお、将来、構図を変更するときにＬＣＤ１１２に表示する画像は、必ずしも、上記のように入れ子状に重畳された画像でなくてもよく、広角側の第２の画像（図２（ｂ））をそのまま表示してもよい。構図変更が可能な最大の範囲を示す広角側の画像を表示すれば、構図変更は可能だからである。
【００３５】
（記録制御部）
図４は図１の記録制御部１１４によって記録される第１および第２の画像ファイルを例示する概念図である。デジタルカメラ１００は、第１の画像信号および第２の画像信号を、第１の画像ファイル１１６および第２の画像ファイル１１８としてそれぞれ記録媒体に記録する記録制御部１１４を備える。第１および第２の画像ファイル１１６、１１８は、それぞれ、ヘッダ領域１１６Ａおよび１１８Ａを備えている。
記録制御部１１４は、第１の画像ファイル１１６および第２の画像ファイル１１８のうち少なくとも一方の画像ファイルのヘッダ領域に、他方の画像ファイルの識別子を付加して記録する。本実施形態では、図４に示すように、第２の画像ファイル１１８のヘッダ領域１１８Ａに、第１の画像ファイル１１６の識別子としてファイル名を記録し、第１および第２の画像ファイル１１６、１１８を対応させて記録する。
【００３６】
画像ファイルのフォーマットは、例えばＥｘｉｆ（Exchangeable Image File Format）ファイルとしてよい。
【００３７】
第１および第２の画像をこのように対応させて記録しておけば、後述のトリミング範囲は１つに限らず、何通りにも変更することが可能であり、変更したトリミング範囲に対応した様々な合成画像を生成可能だからである。
【００３８】
（圧縮制御部）
デジタルカメラ１００は、撮像部１０２から出力された画像信号を圧縮する画像圧縮部１２０と、第２の画像信号を圧縮する際の圧縮率が、第１の画像信号を圧縮する際の圧縮率より高くなるよう画像圧縮部１２０を制御する圧縮制御部１２２を備える。
【００３９】
図４に示すように、背景に相当する第２の画像は、第１の画像より粗くなってもよい、すなわち圧縮率を高くしてよいと考えられるためである。また、第２の画像の圧縮率を上げることで、記録媒体３７０の記録容量も節約できることとなる。
【００４０】
上記の圧縮制御部１２２は、第２の画像信号の圧縮率を、第２の画像信号の絵柄の複雑度を示す特徴量に応じて決定するとよい。
【００４１】
「複雑度」とは、画像のパターン（絵柄）が単調か細かいかを示すパラメータである。言い換えれば、画像におけるエッジ（輪郭線）成分の多少を示す量である。ＪＰＥＧ方式による圧縮の場合、一般的に、エッジ成分の多い、すなわち複雑なパターンの画像は、圧縮の効率が低下し、圧縮後のデータ量が大きくなる。一方、エッジ成分の少ない、すなわち単調なパターンの画像は効率よく圧縮でき、圧縮後のデータ量を小さくできる傾向にある。そのため、圧縮後のデータ量のバラツキを抑制する方針で圧縮処理を行う場合、画像の複雑度に応じて圧縮率を調整し、複雑度が高いほど、圧縮率を上げて、なるべく均一なデータ量にする必要がある。
【００４２】
（受付部）
次に、構図を変更する段階で用いられる各種要素について説明する。構図変更処理を開始すると、重畳画像生成部１１０は、保存されていた第１および第２の画像を取り込み、ＬＣＤ１１２に重畳画像（図２（ｂ）と同様）を表示する。デジタルカメラ１００は、ＬＣＤ１１２に表示された重畳画像に基づいて、トリミング範囲の入力を受け付ける受付部１２４を備える。受付部１２４は、図３（ｂ）に例示するように、ＬＣＤ１１２にトリミング範囲を決定させる枠を表示し、これをユーザの入力に応じて移動させ、例えばトリミング範囲１２６やトリミング範囲１２８を決定させる。
【００４３】
（画像合成部）
図５は図１の画像合成部１３０によって生成される合成画像を例示する図である。デジタルカメラ１００は、トリミング範囲１２６、１２８に基づいて、第１の画像信号のうちトリミング範囲１２６、１２８に含まれる部分と第２の画像信号のうちトリミング範囲１２６、１２８に含まれる部分とを合成した合成画像信号を生成する画像合成部１３０を備える。
【００４４】
以上により、ユーザは、自身が設定した画角によって第１の画像を撮影した後、第１の画像の範囲外までへもトリミング範囲（構図）１２６、１２８を変更することが可能であり、かかるトリミング範囲１２６、１２８によって決定される合成画像（図５）を生成することが可能である。これは、第１の画像とともに、より広角の第２の画像が自動的に撮影され、第１および第２の画像が、最終的に決定されるトリミング範囲に応じて合成されるからである。
【００４５】
しかも、第１および第２の画像を合成するとき、第１の画像信号のうちトリミング範囲に含まれる部分は、サイズを適合させるためにダウンコンバート（縮小）されるだけであり、解像度が劣化しない。つまり、ユーザが最初設定した構図に含まれ、ユーザが最も注目していると考えられる被写体の解像度は劣化しない。
【００４６】
一方、背景となる第２の画像信号のうちトリミング範囲１２６、１２８に含まれる部分は、アップコンバート（拡大）され、解像度が劣化する。しかし、構図の変更に利用される部分にすぎず、もとより、高い解像度は必要がないと考えられる。
【００４７】
図５（ａ）（ｂ）では、いずれの合成画像にも、第１の画像全体が含まれているが、変更された構図は、第１の画像全体を含んでいなくてもよく、第１の画像の一部と、第２の画像の一部とで、合成画像を生成してもよい。
【００４８】
（デジタルカメラ構成）
図１を用いて、デジタルカメラのその他の構成について、以下、説明する。
【００４９】
撮像部１０２から得られる画像信号（アナログ信号）は、アナログ信号処理回路２３０に与えられる。アナログ信号処理回路２３０は、画像信号に対して所定のアナログ信号処理を行う回路である。アナログ信号処理回路２３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００５０】
Ａ／Ｄ変換器２４０は、画像信号の各画素信号を、例えば１２ビットのデジタル信号に変換する。変換後のデジタル信号は、中央処理装置（ＣＰＵ: Central Processing Unit）２５０に与えられ、画像データとして一時的にＲＡＭ（Random Access Memory）２６０に格納される。ＲＡＭ２６０に保存された画像データは、画像処理部２８０によって色補正処理等を施された後、画像圧縮部１２０による圧縮処理等が施される。
【００５１】
また、指向性マイク３００から得られる環境音などの音声信号は、音声処理部３１０に入力される。音声処理部３１０に入力された音声信号は、音声処理部３１０内に設けられたＡ／Ｄ変換器（図示省略）により、デジタル信号に変換され、一時的にＲＡＭ２６０に格納される。デジタル化された音声信号は、再び音声処理部３１０に送り、スピーカ３２０から再生可能である。
【００５２】
操作部３３０は、電源ボタン３３０Ａ、各種の操作ボタン３３０Ｂ、シャッタレリーズボタン３３０Ｃ等を含み、ユーザがデジタルカメラ１００の設定を変更操作する際や撮像操作を行う際等に用いられる。
【００５３】
電源装置３４０は、デジタルカメラ１００に対する電源供給源である。これはリチウムイオン電池などの二次電池を用いてよい。
【００５４】
ＣＰＵ２５０は、ＲＡＭ２６０およびＲＯＭ（Read Only Memory）３５０に記録された所定のプログラムを実行することにより、上記各部を統括的に制御する。なお、ＲＡＭ２６０は、高速アクセス可能な半導体メモリであり、ＲＯＭ３５０は電気的に書き換えが不可能な不揮発の半導体メモリ（例えばフラッシュＲＯＭ）として構成される。また、ＲＡＭ２６０内における一部の領域は、一時記憶用のバッファエリアとして機能し、画像データおよび音声データを一時的に記憶する。
【００５５】
ＣＰＵ２５０の各処理部２８０、３１０は、マイクロコンピュータが所定のプログラムを実行することにより実現される、機能部位である。
【００５６】
画像処理部２８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。画像圧縮部１２０は、画像処理部２８０によって色補正処理等が行われた画像データを、さらに圧縮する。圧縮方式としては、例えばＪＰＥＧ（Joint Photographic Experts Group）方式などが採用される。音声処理部３１０は、音声データに対する各種のデジタル処理を施す処理部である。
【００５７】
このような構成を有するＣＰＵ２５０によって、撮像モード、再生モードの処理が行われる。例えば、撮像モードにおいては、まず撮像部１０２をビューファインダ（ＬＣＤ１１２）画像出力用の動作モードに設定した上で所定周期（例えば３０コマ／秒）の撮像を行い、撮像に応じた画像データを逐次出力する（予備撮像）。撮像部１０２から出力された画像データは、アナログ信号処理回路２３０、Ａ／Ｄ変換器２４０、画像処理部２８０を介してＬＣＤ１１２にビューファインダ画像として表示される。この状態で、シャッタレリーズボタン３３０Ｃがユーザによって半押し（Ｓ１状態）されると、ＣＰＵ２５０は、撮像部１０２から入力される予備撮像の画像データに基づき、ＡＥ（Auto Exposure）評価値およびＡＦ（Auto Focus）評価値を求める。ＣＰＵ２５０はＡＦ評価値に基づいて合焦位置を、公知の例えば山登り方式によって求め、ＡＥ／ＡＦ部３６０を用いて、合焦位置に撮像光学系１０４のレンズを移動させる。また、ＣＰＵ２５０はＡＥ評価値に基づいて、本撮像時のシャッタスピード（撮像部１０２における電荷蓄積時間）、撮像光学系１０４の絞り値およびアナログ信号処理回路２３０におけるオートゲインコントロールのゲイン値を決定する。
【００５８】
ＣＰＵ２５０は、撮像モードにおいてシャッタレリーズボタン３３０Ｃが全押し（Ｓ２状態）されると、撮像部１０２の動作モードを本撮像用の動作モードに設定した上で被写体を撮像し、撮像部１０２で取得された撮像画像データに基づき、画像圧縮部１２０で圧縮画像を生成する。そして、圧縮された高解像度の画像データは、記録媒体３７０に記録される。記録媒体３７０は例えばＳＤカード（登録商標）としてよい。
【００５９】
さらに、デジタルカメラ１００は、記録媒体３７０から、デジタルカメラ１００で動作されるプログラムを取り込むことも可能である。例えば、記録媒体３７０に記録される制御プログラムを、ＣＰＵ２５０のＲＡＭ２６０またはＲＯＭ３５０内に取り込むことができる。これにより、制御プログラムを更新することも可能である。
【００６０】
ＬＣＤ１１２は、被写界を表示するほか、ユーザに対する各種メニューを表示し、操作のための情報を提供する表示部である。フラッシュ３９０は、発光が許可されている状態で撮影補助光を発して被写体を照射する発光装置である。
【００６１】
（ズームブラケティング）
図６は図１の撮像制御部１０８等が行う、構図変更を目的としたズームブラケティング機能の概要を示すフローチャートである。まず、ユーザが決定した第１の画角による第１の画像の撮影が行われる（ステップＳ５００）。記録制御部１１４は第１の画像を保存し（ステップＳ５０２）、撮像制御部１０８は、第１の画角が所定画角より小さい、すなわち望遠側であった場合（ステップＳ５０４のＹＥＳ）、ズームブラケットを実行し、ズーム光学系１０６のレンズを広角側の第２の画角へ移動する（ステップＳ５０６）。撮像制御部１０８は、第１の画角が所定画角以上であった場合（ステップＳ５０４のＮＯ）には、ズームブラケットを実行せず、終了する。
【００６２】
ズームブラケットを実行した場合には、第２の画角による撮像が自動的に行われる（ステップＳ５０８）。すると、重畳画像生成部１１０は、図３（ｂ）に示すように、広角側の第２の画像における第１の画像の位置情報を抽出し（ステップＳ５１０）、第２の画像から、第１の画像に相当する領域を削除する（ステップＳ５１２）。その後、記録制御部１１４が、第１および第２の画像ファイル１１６、１１８を対応させて記録する（ステップＳ５１４）。
【００６３】
（構図変更）
図７は、図１の重畳画像生成部１１０が行う、構図変更機能の概要を示すフローチャートである。まず重畳画像生成部１１０が、保存されていた第１および第２の画像を取り込み、ＬＣＤ１１２に重畳画像（図２（ｂ）と同様）を表示する（ステップＳ６００、Ｓ６０２、Ｓ６０４）。
【００６４】
次に受付部１２４が、ＬＣＤ１１２にトリミング範囲を決定させる枠を表示し、これをユーザの入力に応じて移動させ、構図として、例えばトリミング範囲１２６やトリミング範囲１２８を決定させる（ステップＳ６０６）。
【００６５】
次に画像合成部１３０が、トリミング範囲１２６または１２８に含まれる領域を第１および第２の画像から取得し（ステップＳ６０８、Ｓ６１０）、サイズ適合処理を行う（ステップＳ６１２）。このとき、第１の画像信号のうちトリミング範囲１２６または１２８に含まれる部分は、サイズを適合させるためにダウンコンバート（縮小）され、解像度が劣化しない。
【００６６】
サイズ適合処理が行われた第１および第２の画像は、合成され（ステップＳ６１４）、新たな合成画像として保存される（ステップＳ６１６）。
【００６７】
なお、本明細書のデジタルカメラ１００で行われるズームブラケット処理、構図変更処理に置ける各工程は、必ずしもフローチャートとして記載された順序に沿って時系列に処理する必要はなく、並列的あるいはサブルーチンによる処理を含んでもよい。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６９】
本発明は、撮影時の画角を調節可能なデジタルカメラに利用することができる。
【図面の簡単な説明】
【００７０】
【図１】本発明の実施形態であるデジタルカメラのブロック図である。
【図２】図１のデジタルカメラによって撮像される第１および第２の画像を例示する図である。
【図３】図１の重畳画像生成部が重畳画像を生成する様子を示す図である。
【図４】図１の記録制御部によって記録される第１および第２の画像ファイルを例示する概念図である。
【図５】図１の画像合成部によって生成される合成画像を例示する図である。
【図６】図１の撮像制御部等が行う、構図変更を目的としたズームブラケティング機能の概要を示すフローチャートである。
【図７】図１の重畳画像生成部が行う、構図変更機能の概要を示すフローチャートである。
【符号の説明】
【００７１】
１００  …デジタルカメラ
１０２  …撮像部
１０４  …撮像光学系
１０６  …ズーム光学系
１０８  …撮像制御部
１１０  …重畳画像生成部
１１２  …ＬＣＤ
１１４  …記録制御部
１１６  …第１の画像ファイル
１１８  …第２の画像ファイル
１２０  …画像圧縮部
１２２  …圧縮制御部
１２４  …受付部
１２６、１２８  …トリミング範囲
１３０  …画像合成部
【図１】
2010119011.tif 000003
【図２】
2010119011.tif 000004
【図３】
2010119011.tif 000005
【図４】
2010119011.tif 000006
【図５】
2010119011.tif 000007
【図６】
2010119011.tif 000008
【図７】
2010119011.tif 000009